【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
複数の視差画像を含むライトフィールドデータを取得するデータ取得手段と、
前記ライトフィールドデータの仮想焦点面を設定する設定手段と、
前記ライトフィールドデータから、焦点面が前記仮想焦点面に移動されたライトフィールドデータを生成する再構成手段と、
前記生成されたライトフィールドデータのデータ削減量を、前記生成されたライトフィールドデータのリフォーカス可能範囲に従って決定する決定手段と、
前記データ削減量に従って前記生成されたライトフィールドデータのデータ量を削減する削減手段と、を備えることを特徴とする画像処理装置。
【請求項２】
前記再構成手段による前記仮想焦点面におけるライトフィールドデータの生成は、前記取得されたライトフィールドデータの焦点面に対する前記仮想焦点面のデフォーカス量に基づいたシフト量に従った前記取得されたライトフィールドデータの並び替えであることを特徴とする請求項１に記載の画像処理装置。
【請求項３】
前記データ削減量はライトフィールドデータの複数の分割画素を含む単位画素セルの画素データの加算画素数であり、前記決定手段は、前記生成されたライトフィールドデータにおける前記リフォーカス可能範囲と前記加算画素数との関係に従って前記データ削減量を決定し、前記削減手段は、前記決定された加算画素数に従って、前記生成されたライトフィールドデータの前記単位画素セルの画素データを加算することを特徴とする請求項１又は２に記載の画像処理装置。
【請求項４】
前記加算画素数は、前記単位画素セルが、水平画素数をＮ、垂直画素数をＭとして分割数がＮ×Ｍの前記分割画素からなる場合、前記分割数を変更するための分割単位に含まれる前記分割画素の数であることを特徴とする請求項３に記載の画像処理装置。
【請求項５】
前記決定手段が決定する前記データ削減量は、前記生成されたライトフィールドデータのリフォーカス可能範囲が被写体の位置の遠端と近端を含むことができる最も大きい加算画素数であることを特徴とする請求項４に記載の画像処理装置。
【請求項６】
前記設定手段は、前記取得されたライトフィールドデータから被写体の位置を検出する被写体検出手段を有し、前記仮想焦点面は、前記被写体の位置に従って前記仮想焦点面を設定することを特徴とする請求項１から５のいずれか１項に記載の画像処理装置。
【請求項７】
前記設定手段は、前記仮想焦点面と前記生成されたライトフィールドデータのリフォーカス可能範囲を設定するユーザー設定手段を有することを特徴とする請求項１から５のいずれか１項に記載の画像処理装置。
【請求項８】
複数の視差画像を含むライトフィールドデータを取得するデータ取得手段と、
前記ライトフィールドデータのデータ量を削減したライトフィールドデータの生成を指示する指示手段と、
前記ライトフィールドデータから、前記指示手段による指示に応じて、焦点面が仮想焦点面に移動されたライトフィールドデータを生成する再構成手段と、
前記生成されたライトフィールドデータの複数の分割画素を含む単位画素セルの画素データの加算を行うことでデータ量を削減したライトフィールドデータを生成する削減手段と、を有し、
前記再構成手段は、前記ライトフィールドデータを用いて検出された特定の被写体が生成後のライトフィールドデータのリフォーカス可能範囲に含まれるような仮想焦点面を設定し、
前記削減手段は、前記特定の被写体が生成後のリフォーカス可能範囲に含まれるような加算方法でデータ量を削減したライトフィールドデータを生成することを特徴とする画像処理装置。
【請求項９】
複数の視差画像を含むライトフィールドデータを取得するデータ取得手段と、
前記ライトフィールドデータのデータ量を削減したライトフィールドデータの生成を指示する指示手段と、
前記ライトフィールドデータから、前記指示手段による指示に応じて、焦点面が仮想焦点面に移動されたライトフィールドデータを生成する再構成手段と、
前記生成されたライトフィールドデータの複数の分割画素を含む単位画素セルの画素データの加算を行うことでデータ量を削減したライトフィールドデータを生成する削減手段と、を有し、
前記再構成手段は、指定された被写体距離の範囲が生成後のライトフィールドデータのリフォーカス可能範囲に含まれるような仮想焦点面を設定し、
前記削減手段は、前記指定された被写体距離の範囲が生成後のリフォーカス可能範囲に含まれるような加算方法でデータ量を削減したライトフィールドデータを生成することを特徴とする画像処理装置。
【請求項１０】
複数の視差画像を含むライトフィールドデータを取得するデータ取得工程と、
前記ライトフィールドデータの仮想焦点面を設定する設定工程と、
前記ライトフィールドデータから、焦点面が前記仮想焦点面に移動されたライトフィールドデータを生成する再構成工程と、
前記生成されたライトフィールドデータのデータ削減量を、前記生成されたライトフィールドデータのリフォーカス可能範囲に従って決定する決定工程と、
前記データ削減量に従って前記生成されたライトフィールドデータのデータ量を削減する削減工程と、
を備えることを特徴とする画像処理方法。
【請求項１１】
複数の視差画像を含むライトフィールドデータを取得するデータ取得工程と、
前記ライトフィールドデータのデータ量を削減したライトフィールドデータの生成を指示する指示工程と、
前記ライトフィールドデータから、前記指示工程における指示に応じて、焦点面が仮想焦点面に移動されたライトフィールドデータを生成する再構成工程と、
前記生成されたライトフィールドデータの複数の分割画素を含む単位画素セルの画素データの加算を行うことでデータ量を削減したライトフィールドデータを生成する削減工程と、を有し、
前記再構成工程では、前記ライトフィールドデータを用いて検出された特定の被写体が生成後のライトフィールドデータのリフォーカス可能範囲に含まれるような仮想焦点面を設定し、
前記削減工程では、前記特定の被写体が生成後のリフォーカス可能範囲に含まれるような加算方法でデータ量を削減したライトフィールドデータを生成することを特徴とする画像処理方法。
【請求項１２】
複数の視差画像を含むライトフィールドデータを取得するデータ取得工程と、
前記ライトフィールドデータのデータ量を削減したライトフィールドデータの生成を指示する指示工程と、
前記ライトフィールドデータから、前記指示工程による指示に応じて、焦点面が仮想焦点面に移動されたライトフィールドデータを生成する再構成工程と、
前記生成されたライトフィールドデータの複数の分割画素を含む単位画素セルの画素データの加算を行うことでデータ量を削減したライトフィールドデータを生成する削減工程と、を有し、
前記再構成工程では、指定された被写体距離の範囲が生成後のライトフィールドデータのリフォーカス可能範囲に含まれるような仮想焦点面を設定し、
前記削減工程では、前記指定された被写体距離の範囲が生成後のリフォーカス可能範囲に含まれるような加算方法でデータ量を削減したライトフィールドデータを生成することを特徴とする画像処理方法。
【請求項１３】
画像処理装置を制御するプログラムであり、
コンピュータを、
複数の視差画像を含むライトフィールドデータを取得するデータ取得手段、
前記ライトフィールドデータの仮想焦点面を設定する設定手段、
前記ライトフィールドデータから、焦点面が前記仮想焦点面に移動されたライトフィールドデータを生成する再構成手段、
前記生成されたライトフィールドデータのデータ削減量を、前記生成されたライトフィールドデータのリフォーカス可能範囲に従って決定する決定手段、
前記データ削減量に従って前記生成されたライトフィールドデータのデータ量を削減する削減手段、
として機能させることを特徴とするプログラム。
【請求項１４】
画像処理装置を制御するプログラムであり、
コンピュータを、
複数の視差画像を含むライトフィールドデータを取得するデータ取得手段、
前記ライトフィールドデータのデータ量を削減したライトフィールドデータの生成を指示する指示手段、
前記ライトフィールドデータから、前記指示手段による指示に応じて、焦点面が仮想焦点面に移動されたライトフィールドデータを生成する再構成手段、
前記生成されたライトフィールドデータの複数の分割画素を含む単位画素セルの画素データの加算を行うことでデータ量を削減したライトフィールドデータを生成する削減手段であって、
前記再構成手段は、前記ライトフィールドデータを用いて検出された特定の被写体が生成後のライトフィールドデータのリフォーカス可能範囲に含まれるような仮想焦点面を設定し、
前記削減手段は、前記特定の被写体が生成後のリフォーカス可能範囲に含まれるような加算方法でデータ量を削減したライトフィールドデータを生成するもの、
として機能させることを特徴とするプログラム。
【請求項１５】
画像処理装置を制御するプログラムであり、
コンピュータを、
複数の視差画像を含むライトフィールドデータを取得するデータ取得手段、
前記ライトフィールドデータのデータ量を削減したライトフィールドデータの生成を指示する指示手段、
前記ライトフィールドデータから、前記指示手段による指示に応じて、焦点面が仮想焦点面に移動されたライトフィールドデータを生成する再構成手段、
前記生成されたライトフィールドデータの複数の分割画素を含む単位画素セルの画素データの加算を行うことでデータ量を削減したライトフィールドデータを生成する削減手段であって、前記再構成手段は、指定された被写体距離の範囲が生成後のライトフィールドデータのリフォーカス可能範囲に含まれるような仮想焦点面を設定し、
前記削減手段は、前記指定された被写体距離の範囲が生成後のリフォーカス可能範囲に含まれるような加算方法でデータ量を削減したライトフィールドデータを生成するもの、
として機能させることを特徴とするプログラム。
【請求項１６】
請求項１４又は１５に記載のプログラムを格納したコンピュータが読み取り可能な記憶媒体。